(57)【要約】【課題】移動通信ネットワークにおけるサービス回復のユーザー装置強化を提供する。【解決手段】移動通信ネットワーク中、強化型サービス回復のネットワーク禁止リストの適用方法が提供される。第一実施形態において、選択されたネットワーク中、RATのエラー要因を受信するとき、UE は、禁止リスト中で、PLMN ID、RAT 情報およびエラー要因を入力として保存する。PLMN/RAT 入力が禁止リストから除去されるまで、UE は、禁止リストに保存されるネットワークのRATに選択されない。第二実施形態において、選択されたネットワーク中で、エラー要因を受信時、UE は、禁止リスト中に、PLMN ID、エラー要因およびタイマー値を入力として保存する。PLMN IDに関連するタイマーが期限切れになるまで、UEは、禁止リストに保存されるネットワークに選択されない。【選択図】図３
2015523775.tif 000002
【特許請求の範囲】
【請求項１】
方法であって、
ユーザー装置(UE)により、公衆携帯電話網(PLMN) IDを有する移動通信ネットワークにアタッチする工程と、
ネットワークエラー要因を示すエラーコードを受信する工程と、
前記PLMN IDを入力として、ネットワーク禁止リスト中に保存する工程と、を有し、前記入力は、さらに、前記ネットワークに関連する無線アクセス技術(RAT)により索引が付けられ、前記UEは、前記禁止リスト中に保存される前記PLMN IDと前記RATを有する前記移動通信ネットワークへのアタッチをやめることを特徴とする方法。
【請求項２】
前記ネットワークエラー要因は、深刻なネットワーク障害を含むことを特徴とする請求項１に記載の方法。
【請求項３】
前記ネットワーク禁止リストは、加入者識別モジュール(SIM)または前記UEの内部メモリ中に保存されることを特徴とする請求項１に記載の方法。
【請求項４】
前記ネットワーク禁止リストは最大入力件数を有し、新しい入力が追加されて、最大入力件数に到達するとき、古い入力が除去されることを特徴とする請求項１に記載の方法。
【請求項５】
さらに、
前記入力に関連するタイマーを開始し、前記タイマーが期限切れになる前、前記UEが、前記移動通信ネットワークへのアタッチをやめる工程を有することを特徴とする請求項１に記載の方法。
【請求項６】
方法であって、
ユーザー装置(UE)により、公衆携帯電話網(PLMN) IDを有する移動通信ネットワークにアタッチされる工程と、
ネットワークエラー要因を示すエラーコードを受信する工程と、
前記エラーコード受信時、前記PLMN IDに関連するタイマーを開始し、前記タイマーが期限切れになる前、前記UEは、前記PLMN IDを有する前記移動通信ネットワークにアタッチするのをやめる工程と、
を有することを特徴とする方法。
【請求項７】
さらに、
前記エラーコード受信時、ネットワーク禁止リスト中、前記PLMN IDを入力として保存する工程を含むことを特徴とする請求項６に記載の方法。
【請求項８】
さらに、
前記タイマーが期限切れのとき、前記入力を除去する工程を含むことを特徴とする請求項７に記載の方法。
【請求項９】
前記タイマー値は、前記PLMN IDと前記ネットワークエラーコードに基づいて、前記UEにより決定されることを特徴とする請求項６に記載の方法。
【請求項１０】
前記タイマー値は、加入者識別モジュール(SIM)または前記UEの内部メモリから回収されることを特徴とする請求項６に記載の方法。
【請求項１１】
前記タイマー値は、加入者識別モジュール(SIM)から回収される情報から生成されることを特徴とする請求項６に記載の方法。
【請求項１２】
前記タイマー値は、前記UEにより検出される所定のトリガー条件に基づいて、動的に調整されることを特徴とする請求項６に記載の方法。 
【請求項１３】
前記トリガー条件は、UE位置または変化したネットワーク状態を含むことを特徴とする請求項１２に記載の方法。
【請求項１４】
ユーザー装置(UE)であって、
公衆携帯電話網(PLMN) IDを有する移動通信ネットワークへのアタッチを試みるネットワークアクセスモジュールと、
ネットワークエラー要因を示すエラーコードを受信するレシーバと、
前記PLMN IDに関連するタイマー値を有するタイマーと、を有し、前記エラーコード受信時、前記タイマーが開始され、前記タイマーが期限切れになる前、前記UEは、前記PLMN IDを有する前記移動通信ネットワークへのアタッチをやめることを特徴とするUE。
【請求項１５】
前記ネットワークエラー要因は、特定の無線アクセス技術(RAT)の深刻なネットワーク障害を含むことを特徴とする請求項１４に記載のUE。
【請求項１６】
さらに、
ネットワーク禁止リスト中に、前記PLMN IDを入力として保存する設定モジュールを有することを特徴とする請求項１４に記載のUE。
【請求項１７】
前記ネットワーク禁止リストは、前記UEの加入者識別モジュール(SIM)または内部メモリ中に保存されることを特徴とする請求項１６に記載のUE。
【請求項１８】
前記UEは、加入者識別モジュール(SIM)または前記UEの内部メモリから回収された情報から、タイマー値を得ることを特徴とする請求項１４に記載のUE。
【請求項１９】
前記タイマー値は、前記PLMN IDと前記ネットワークエラーコードに基づいて、前記UEにより決定されることを特徴とする請求項１４に記載のUE。
【請求項２０】
前記タイマー値は、前記UEにより検出される所定のトリガー条件に基づいて動的に調整されることを特徴とする請求項１４に記載のUE。
【請求項２１】
前記トリガー条件は、UE位置または変化したネットワーク状態を含むことを特徴とする請求項２０に記載のUE。
【発明の詳細な説明】
【技術分野】
【０００１】
この出願は、２０１２年５月２２日に出願された“UE Enhancement of Service Recovery,”と題された米国特許仮出願番号６１/６５０２２７号から、合衆国法典第３５編第１１９条の下、優先権を主張するものであり、その内容は引用によって本願に援用される。
【０００２】
本発明は、移動通信ネットワークに関するものであって、特に、サービス回復(service recovery)の強化に関するものである。
【背景技術】
【０００３】
公衆携帯電話網 (PLMN)は、陸上移動通信サービスを公衆に提供する特定の目的のために、管理組織または認定された運用機関(recognized operating agency、ROA)により構築および運営されるネットワークである。PLMN はモバイルユーザーに通信実現性を提供する。PLMN は、周波数バンドのひとつまたは組み合わせで、サービスを提供する。ある関係が、各サブキャリアとホーム PLMN (HPLMN)中に存在する。通信が、別の PLMNで操作される場合、この PLMN は、訪問( visited )PLMN (VPLMN)と称される。PLMN エリアは、PLMNが、モバイルユーザーに対する仕様にしたがって、通信サービスを提供する地理的領域である。PLMN エリアにおいて、モバイルユーザーは、終端ネットワークの別のユーザーに呼び出しを起こすことができる。終端ネットワークは、固定ネットワーク、同じ PLMN、別の PLMN または別のタイプの PLMNである。終端ネットワークユーザーは、さらに、呼び出しをPLMNに起こすことができる。PLMNエリアがPLMNに割り当てられ、PLMN はサービスプロバイダーにより決定される。
【０００４】
データとインターネットがアクセスする。PLMN サービスへのアクセスは、整合された IP ネットワークサービスにより、携帯電話と基地局間の無線通信を含む無線インタフェースの方法で達成される。ひとつのPLMN は、異なる無線アクセス技術(RAT)を用いて、移動サービスにアクセスする多重無線アクセスネットワーク(RAN)を有する。無線アクセスネットワークは、無線アクセス技術を実行するモバイル通信システムの一部である。概念的に、RANはモバイル機器間に存在し、コアネットワーク (CN)との接続を提供する。基準に基づいて、携帯電話とその他の無線接続装置、多様に、ユーザー装置 (UE)、端末装置、移動局 (MS)等として知られる。異なる RATの例は、GERAN (GSM) 無線アクセスネットワーク、UTRAN (UMTS)無線アクセスネットワークおよび E-UTRAN (LTE) 無線アクセスネットワークを有する。
【０００５】
モバイル機器がオンになるとき、ネットワーク選択プロセスが開始され、試みた登録に対し、候補のPLMNがひとつずつ選択される。GSM ネットワークにおいて、MSがオンになるとき、国際移動電話加入者識別番号 (IMSI) アタッチ工程が実行される。ISMI アタッチ工程が、MSをネットワーク中に登録するMSC と VLRに必要とされる。同様に、UMTS と LTE ネットワークにおいて、UE がオンになるとき、接続するモバイルネットワークを検索する。一旦、UE が、必要なネットワークを選択すると、ネットワークへのアタッチとネットワークへの登録を試みる。通常、UEは、手動と自動のネットワーク選択メカニズム両方をサポートする。
【０００６】
ネットワーク選択プロセスを促進するため、UE は、SIM/USIM カードで保存されるオペレータ制御の PLMN セレクタリストとユーザー制御の PLMN セレクタリストを有する。両PLMN セレクタリストは、優先順位で、好ましい PLMNのリストを含む。HPLMNを含むPLMN セレクタリストは、異なる無線アクセス技術が、たとえば、E-UTRAN、UTRANや GERANを識別することにより、複数の出来事を有する。UE は、ネットワーク選択に関連するSIM/USIM、たとえば、HPLMNに保存される全情報、オペレータ制御の PLMN セレクタリスト、ユーザー制御の PLMN セレクタリストおよび Forbidden PLMN リストを用いる。PLMN 上の登録が成功である場合、UEはこの PLMN (“登録済みの PLMN”)を示すと共に、呼びかけを生成および受信することができる。しかし、IMSI がホームネットワーク中で未確認である、または、UEが不正であるので、登録が不成功の場合、UE 101が次に電源を入れられるか、または、SIM/USIM が挿入されるまで、UE は、任意の将来の登録試みを許可しない。
【０００７】
UEによる登録試みが、“永久(permanent)” のPLMN 制限の指示により、ネットワークにより拒否されるとき、PLMN 識別は、SIM/USIM中のデータ領域に保存される“Forbidden PLMNs”のリストに書き込まれる。成功した登録が、Forbidden PLMN リスト中で、PLMN 上で達成される場合、PLMNは、リストから削除される。Forbidden PLMN リストが用いられて、不必要な登録試みを回避する。たとえば、いくつかのネットワークは、短期間では解決できない深刻なネットワークエラーに直面する。エラーの根底の問題によると、ネットワークへのアタッチや登録の試みを継続することはまったく無意味である。その場合、成功の可能性がないとき、試みの継続は、UE 電力とシステムリソースを無駄にする。このほか、ひとつのネットワーク中で発生するいくつかのエラーは、別のネットワークで発生しない。その結果、深刻なネットワークエラーを発生するネットワーク中の再試行は、ユーザーにサービス修復することができる別の回復メカニズムの起動を遅らせる。よって、うまく設計された禁止(forbidden) PLMN リストが必要とされる。
【発明の概要】
【発明が解決しようとする課題】
【０００８】
移動通信ネットワークにおいて、強化型サービス回復のネットワーク禁止リストの適用方法が提供される。
【課題を解決するための手段】
【０００９】
第一実施形態において、禁止された PLMN/RATリストが、強化型ネットワーク選択に用いられる。選択されたネットワーク中で、エラー要因を受信時、UE は、禁止された PLMN/RAT リスト中で、PLMN ID、RAT 情報、および、エラー要因を入力として保存する。PLMN/RAT 入力が禁止リストから除去されるまで、UE は、禁止リスト中に保存されるPLMNのRATに選択されない。PLMN/RATに関連する特定のネットワークエラー要因受信時、禁止された PLMN/RATリストが、SIM/USIM中で設定される、または、UEにより追加や除去される。
【００１０】
第二実施形態において、選択されたネットワーク中で、エラー要因を受信時、UEは、禁止された PLMN リスト中に、PLMN ID、エラー要因、および、タイマー値を入力として保存する。PLMN IDに関連するタイマーが期限切れになるまで、UEは、禁止リスト中に保存されるPLMNに選択されない。タイマー値は、PLMN ID と エラー要因に基づいて、ネットワークまたはUEにより決定される。タイマー値は、ネットワークから受信されるメッセージまたは所定のトリガーイベントにより動的に調整される。
【００１１】
一新規態様において、タイマーベースのネットワーク選択方法は、ネットワーク禁止リストを使用せずに適用される。UE がネットワークにアタッチされ、エラーコードを受信するとき、UE は、単純に、ネットワークのPLMN IDに関連する禁止されたタイマーを開始する。タイマーが期限切れになるまで、UE が、ネットワークにアタッチされるのをやめる。
【００１２】
他の実施の形態および利点が以下の詳細な説明に述べられる。この概要は、本発明を定めるものではない。本発明は請求項によって定められる。
【図面の簡単な説明】
【００１３】
【図１】一実施形態による多重無線アクセスネットワーク(RAN)を有する公衆携帯電話網(PLMN)を示す図である。
【図２】本発明の実施形態をサポートするユーザー装置(UE)の簡潔なブロック図である。
【図３】強化型サービス回復のネットワーク禁止リストを応用する第一実施形態を示す図である。
【図４】禁止 PLMN/RAT リストの例を示す図である。
【図５】強化型サービス回復のネットワーク禁止リストを応用する第二実施形態を示す図である。
【図６】タイマーベースの禁止された PLMN リストの例を示す図である。
【図７】タイマーベースの禁止された PLMN/RAT リストの例を示す図である。
【図８】強化型サービス回復のタイマーベースのネットワーク選択方法の一実施形態を示す図である。
【図９】一実施形態によるネットワーク禁止リストの適用方法のフローチャートである。
【図１０】一実施形態によるタイマーベースのネットワーク選択の方法のフローチャートである。
【発明を実施するための形態】
【００１４】
本発明の実施態様について詳細に述べる。その例は添付図面に示されている。
【００１５】
図１は、一実施形態による多重無線アクセス技術をサポートする公衆携帯電話網 (PLMN) 110を示す図である。移動通信システム 100 は、PLMN 110 と外部ネットワーク 120 (たとえば、インターネット)を有する。PLMN 110 は、無線アクセスネットワーク (RAN) 130 とコアネットワーク (CN) 140を有する。RAN 130 は、さらに、第一無線アクセス技術 (RAT) - ユニバーサル移動体通信システム (UMTS)をサポートするUMTS 地上波無線アクセスネットワーク (UTRAN) 150、および、第二無線アクセス技術 - 3GPP ロングタームエボリューション (LTE)をサポートするEvolved UTRAN (E-UTRAN) 160を有する。UTRAN 150 と E-UTRAN 160 は、同一のコアネットワーク CN 140を共有する。PLMN 110 は、移動サービスを、モバイルユーザー、たとえば、UE 101に提供する。UE 101 は、異なる無線アクセス技術により、移動サービスのPLMN110にアクセスする。
【００１６】
UE 101がオンのとき、UE 101は、必要とされるネットワークを選択する。 たとえば、PLMN 110 がホーム PLMN (HPLMN)である場合、UE 101 は PLMN 110 を選択する。UE 101 は、手動と自動両方のネットワーク選択メカニズムをサポートする。ネットワーク選択プロセスを促すため、UE は、加入者識別モジュール (SIM)または汎用加入者識別モジュール (USIM)カードで保存されるオペレータ制御の PLMN セレクタリストとユーザー制御の PLMN セレクタリストを有する。SIM/USIMは、しっかりと、国際移動体加入者識別番号 (IMSI) とその他の関連キーを保存して、携帯電話装置の加入者を識別、および、認証する。両 PLMN セレクタリストは、優先順位で、好ましいPLMNのリストを含む。HPLMN を含むPLMN セレクタリストは、異なる無線アクセス技術が、たとえば、E-UTRAN、UTRANを識別することにより、複数の出来事を有する。
【００１７】
ネットワーク選択後、UE 101 は、ネットワークへのアタッチを試み、ネットワークへの登録を試みる。たとえば、UE 101 は、E-UTRAN 160により、ホームネットワーク PLMN 110へのアタッチ、および、登録を試みる。PLMN 110 上の登録が成功する場合、UE 101 はこの PLMN (“登録済みの PLMN”) を示すと共に、 呼びかけを生成および受信することができる。しかし、IMSI がホームネットワーク中で知られていない、または、UEが不正であるため、登録が不成功である場合、UE 101が次に電源を入れられるか、または、SIM/USIM が挿入されるまで、UE 101 は、任意の将来の登録試みを許可しない。UE 101 は、ネットワーク選択に関連するSIM/USIM 中に保存される全情報、たとえば、HPLMN、オペレータ制御の PLMN セレクタリスト、ユーザー制御の PLMN セレクタリスト、および、Forbidden PLMN リストを利用する。
【００１８】
Forbidden PLMN リストが用いられて、不必要な登録試みを回避する。たとえば、あるネットワークは、短期間で解決できない深刻なネットワークエラーに直面する。エラーの根底の問題によると、ネットワークへのアタッチや登録の試みにまったく無意味である。その場合、成功の可能性がないとき、試みの継続は、UE 電力とシステムリソースを無駄にする。このほか、ネットワークのひとつで発生するいくつかのエラーは、別のネットワークで発生しない。その結果、深刻なネットワークエラーを生じるネットワーク中の再試行は、ユーザーにサービス修復することができる別の回復メカニズムの起動を遅らせる。
【００１９】
現在の技術において、Forbidden PLMN リストは、PLMN IDにより索引だけがつけられる。しかし、ネットワークエラーが特定の無線アクセス技術中でだけ発生するとき、このような設計は十分ではない。たとえば、移動サービスを提供するオペレータは、予想外の出来事のために、新しく発展した 4G LTE ネットワーク (たとえば、E-UTRAN 160) が、比較的長いダウンタイムを有する必要があることに気づいた。一方、同じ CN 140を共有する現在のUMTS ネットワーク (たとえば、UTRAN 150)は、標準の移動サービスをそのサブキャリアに提供することができる。PLMN 110がForbidden PLMN リストに加えられる場合、モバイルユーザーは、UTRAN 150を使っても、PLMN全体にアクセスすることができない。一実施形態において、新規 Forbidden PLMN/RAT リスト 102中の各入力は、PLMN IDに関連するだけでなく、特定の RATにも関連し、よって、正しいネットワーク選択決定がなされる。E-UTRAN 160がダウンし、E-UTRAN パス 161 が可用でないとき、UE 101 は、UTRAN パス 151により示されるように、UTRAN 150 により、まだ、PLMN 110にアクセスすることができる。さらに、Forbidden PLMN/RAT リスト 102中の各入力は、タイマーベースで、サービス回復パフォーマンスを改善する。
【００２０】
図２は、本発明の実施形態をサポートするユーザー装置 (UE) 201 のブロック図である。UE 201 はアンテナ 211に結合されるRFトランシーバーモジュール 202を有し、アンテナ211からRF 信号を受信して、それらをベースバンド信号に変換すると共に、プロセッサ 203に送信する。RFトランシーバー 202は、さらに、プロセッサ203から受信したベースバンド信号を変換し、RF 信号に変換し、アンテナ 211に送信される。プロセッサ 203は、受信したベースバンド信号を処理すると共に、異なる機能モジュールを呼び出して、UE中の特徴を実行する。メモリ 204は、プログラム指令とデータを保存して、UEの動作を制御する。
【００２１】
図２は、さらに、本発明の実施形態を実行するUE 201中の三つの機能モジュール221〜 223を示す。機能モジュールは、ハードウェア、ファームウェア、ソフトウェア、または、それらの組み合わせにより実行される。プロセッサ203 (たとえば、プログラムコード 205を実行することにより)により実行されるとき、機能モジュールは、たとえば、登録が成功した後、UE 201 が、適切に、所望のネットワークを選択し、選択されたネットワークにアタッチできるようにする。一実施形態において、設定モジュール 221は、ネットワーク選択と登録 (たとえば、ネットワーク禁止リスト)に関連する各種情報を設定し、ネットワークアクセスモジュール 222 は、設定に基づいて、ネットワーク選択と登録を実行し、タイマーモジュール 223は、ネットワーク禁止リストに用いられる各種タイマーを実行する。注意すべきことは、ネットワーク選択と登録関連情報、たとえば、HPLMN、オペレータ制御の PLMN セレクタリスト、ユーザー制御の PLMN セレクタリスト、および、Forbidden PLMN/RAT リストは、取り外し可能なカード中に組み込まれるメモリ204 (たとえば、非揮発性RAM) または SIM/USIM 206 中に保存される。
【００２２】
図３は、移動通信システムにおける強化型サービス回復のネットワーク禁止リストを適用する第一実施形態を示す図である。移動通信システムは、第一無線アクセス技術 RAT #1 と 第二無線アクセス技術 RAT #2両方をサポートするUE 301 と PLMN #1 を有する。ステップ 311において、UE 301 は PLMN #1 を選択し、RAT #1を用いて、ATTACH Request メッセージをネットワークに送信することにより、PLMN #1 へのアタッチを試みる。RAT #1で発生する深刻なネットワーク障害のせいで、アタッチは、ネットワークにより拒否される。ステップ 312において、UE 301 は、RAT #1のエラー要因を有するATTACH Reject メッセージを受信する (たとえば、In TS24.301, #42 (深刻なネットワーク障害) は LTE RATに対し特異的である)。ATTACH Reject メッセージとエラー要因受信時、ステップ313において、UE 301 は、入力をPLMN ID (たとえば、 PLMN #1) と RAT ID (たとえば、RAT #1)両方により索引が付けられるネットワーク禁止リストに保存する。一旦、PLMN/RAT が、ネットワーク禁止リスト中に保存されると、このような入力が禁止リストから除去されるまで(たとえば、314)、UEは、同じ PLMN/RATへのアタッチが許可されない。ステップ315において、UE 301 は、再度、PLMN #1 を選択し、RAT #2を用いて、ATTACH Requestをネットワークに送信することによりPLMN #1へのアタッチを試みる。RAT #2 が禁止リスト中に保存されないので、UE 301 は、異なる RATを用いることにより同じ PLMN にアクセスするのを許可する。別の実施形態において、UE が、ネットワーク中で、トラッキング領域更新工程(Tracking Area Update Procedure )またはサービス工程(Service Procedure)を試みるとき、UE は、TAU REJECT メッセージまたは SERVICE REJECT メッセージからエラー要因を受信する。エラー要因受信後のUEの行動は図３に示されるステップに類似する。
【００２３】
図４は、Forbidden PLMN/RAT リストの例を示す図である。表 400は Forbidden PLMN/RAT リストの例を示す。Forbidden PLMN/RAT リストは、指数 1, 2 … MAX-ENTRYにより索引が付けられるように、多くの入力を有する。各入力は、PLMN ID、RAT IDおよびエラー要因を示すエラーコードに関連する。たとえば、第一入力は、エラーコード #1で、PLMN #1 と RAT #1 を保存し、第二入力は、エラーコード #2 で、PLMN #1 と RAT #2を保存する。特定のネットワークエラー要因受信時、禁止リストは、SIM/USIM/UE メモリ中に設定されるかまたはUEにより追加される。UE がネットワークから特定のネットワークエラー要因を受信するとき、UEは、Forbidden PLMN/RAT リスト中に、エラー要因と RAT情報を有するPLMNを保存する。PLMN/RAT 入力が Forbidden PLMN/RAT リストから除去されるまで、UE は、Forbidden PLMN/RAT リスト中に保存される同じ PLMNの同じRAT に選択されない。一実施形態において、表 400 は、先入れ先だし(first-in first-out FIFO)として実行される。FIFOが十分になるまで、UE は新しい入力 の追加を維持し、FIFO が十分になった後、古い入力を除去する。
【００２４】
図５は、移動通信システムにおける強化型サービス回復のネットワーク禁止リストを適用する第二実施形態を示す図である。移動通信システムは、UE 501 と PLMN #1 と PLMN #2を有する。ステップ 511において、UE 501はPLMN #1を選択すると共に、ATTACH Request メッセージをネットワークに送信することにより、PLMN #1 へのアタッチを試みる。PLMN #1中で発生する深刻なネットワーク障害のせいで、アタッチがネットワークにより拒否される。ステップ 512において、UE 501 は、PLMN #1のエラー要因を有するATTACH Reject メッセージを受信する(たとえば、In TS24.301, #42 (深刻なネットワーク障害)は LTE RATに対し特異的である)。ATTACH Reject メッセージとエラー要因受信時、ステップ 513において、UE 501は、入力を PLMN ID (たとえば、PLMN #1)により索引が付けられるネットワーク禁止リストに保存する。一方、UE 501 は、さらに、PLMN #1に関連するタイマーを開始する。一旦、PLMN ID がネットワーク禁止リスト中に保存されると、このような入力が禁止リストから除去されるかまたはタイマーが期限切れになるまで(たとえば、514を参照)、UEが、同じ PLMNにアタッチされることはもう許されない。ステップ 515において、UE 501 は 別のネットワーク PLMN #2 を選択すると共に、ATTACH Request を ネットワークに送信することによりPLMN #2へのアタッチを試みる。PLMN #2 はネットワーク禁止リスト中に保存されないので、UE 501 は、移動サービスのPLMN #2 へのアクセスが許される。その後、ステップ516において、PLMN #1 に関連するタイマーが期限切れになり、UE 501 はネットワーク禁止リストからPLMN #1 を除去する。ステップ517において、UE 501は、再度、PLMN #1を選択することができる。別の実施形態において、ネットワーク中で、UEが、トラッキング領域更新工程またはサービス工程を試みるとき、UE は、TAU REJECT メッセージ または SERVICE REJECT メッセージから、エラー要因を受信する。エラー要因受信後のUEの行動は、図５に示されるステップに類似する。
【００２５】
図６は、タイマーベースの Forbidden PLMN リストの例を示す図である。 表 600 は、タイマーベースの Forbidden PLMN リストの例を示す。タイマーベースの Forbidden PLMN リストは、指数 1, 2 … MAX-ENTRYにより索引が付けられるように、多くの入力を有する。各入力は、PLMN ID、エラーコードとタイマー値に関連する。たとえば、第一入力は、エラーコード #1 と タイマー #1で、PLMN #1を保存し、第二入力は、エラーコード #2 とタイマー #2で、PLMN #2 を保存する。特定のネットワークエラー要因受信時、禁止リストがSIM/USIM中で設定されるかまたはIEにより追加される。UE は、ネットワークから特定のネットワークエラー要因を受信時、UE は、エラー要因とタイマー情報を有するPLMN ID を、Forbidden PLMN リストに保存する。タイマー期限切れ時、PLMN 入力が、Forbidden PLMN リストから除去されるまで、UE は、Forbidden PLMN リスト中に保存される同じPLMNに自動的に選択されない。
【００２６】
タイマー値は、異なる方式で設定される。たとえば、タイマー値は、PLMN/RATとエラーコードに関連するネットワークにより決定される。一方、UEは、PLMN/RAT とエラーコードに基づいて、タイマー値を決定する。たとえば、UE はエラーコードを解釈し、さらに深刻なネットワーク障害の長いタイマー値を決定する。UE は、SIM/USIM カードから、タイマー値を回収する。一実施形態において、UE は、SIM/USIM カード中に保存される情報に基づいて、タイマー値を引き出す。このほか、タイマー値が、ネットワークから受信されるメッセージまたはUEにより検出される所定のトリガーイベントにより動的に調整される。トリガーイベントは、モバイルユーザーによるPLMNのマニュアル選択である。トリガーイベントは、さらに、UEの検出された位置変化である。ネットワーク禁止リストにおいて、各PLMN 入力の動的調整可能タイマー値を導入することにより、ネットワーク/UE は、ネットワーク選択で、効率的および効果的な決定を行い、サービス回復パフォーマンスを向上させることができる。
【００２７】
一実施形態において、第一および第二具体例を結合することにより、タイマーベースの Forbidden PLMN/RAT リストが用いられる。図７は、タイマーベースの Forbidden PLMN/RAT リストの例を示す。表 700に示されるように、タイマーベースの Forbidden PLMN/RAT リストは、指数 1, 2 … MAX-ENTRYにより索引がつけられるように多くの入力を有する。各入力は、PLMN ID、 RAT ID、 エラーコードとタイマー値に関連する。たとえば、第一入力は、エラーコード #1 と タイマー #1で、PLMN #1 と RAT #1 を保存し、第二入力は、エラーコード #2 と タイマー #2で、PLMN #1 と RAT #2 を保存し、第三入力は、エラーコード #3 と タイマー #3で、PLMN #2 と RAT #1 を保存する。特定のネットワークエラー要因受信時、禁止リストは、SIM/USIM中で設定されるかまたはUEにより追加される。UEがネットワークから特定のネットワーク エラー要因を受信するとき、UE は、エラー要因、タイマー情報を有するPLMN ID、RAT IDを、禁止された PLMN/RAT リストに保存する。タイマーが期限切れのとき、PLMN/RAT 入力が、禁止された PLMN/RAT リストから除去されるまで、UE は、Forbidden PLMN/RAT リスト中に保存される PLMN/RATに自動的に選択されない。第一実施形態と第二実施形態を結合することにより、禁止リスト中の各入力は、特定の PLMN/RAT と 特定のタイマー値に関連する。よって、ネットワーク選択はさらにフレキシブルに実行されて、サービス回復パフォーマンスを向上させる。
【００２８】
別の新規態様において、タイマーベースのネットワーク選択メカニズムが、ネットワーク禁止リストを使用せずに適用される。図８は、移動通信システムにおける強化型サービス回復のタイマーベースのネットワーク選択方法を示す図である。移動通信システムは、UE 801 と PLMN #1 と PLMN #2を有する。ステップ 811において、UE 801は PLMN #1 を選択すると共に、ATTACH Request メッセージをネットワークに送信することにより、PLMN #1へのアタッチを試みる。PLMN #1で発生する深刻なネットワーク障害のせいで、アタッチがネットワークにより拒否される。ステップ812において、UE 801 は、PLMN #1のエラー要因を有するATTACH Reject メッセージを受信する (たとえば、In TS24.301, #42 (深刻なネットワーク障害)はLTE RATに対し特異的である)。ATTACH Reject メッセージとエラー要因受信時、ステップ 813において、UE 801 は、PLMN #1に関連するタイマーを開始する。タイマーが期限切れになるまで (たとえば、814を参照)、UE 801は、同じ PLMNへのアタッチが許されない。ステップ 815において、UE 801 は別のネットワーク PLMN #2 を選択すると共に、ATTACH Request をネットワークに送信することにより、PLMN #2 へのアタッチを試みる。その後、ステップ816において、PLMN #1 に関連するタイマーが期限切れになる。ステップ817において、UE 801 は、再度、PLMN #1 を選択することができる。第二実施形態と同様に、タイマー値は、ネットワークまたは UEにより決定される。タイマー値は、さらに、所定のトリガーイベント、たとえば、変化したUE位置に基づいて、動的に調整される。別の実施形態において、UEが、ネットワーク中で、トラッキング領域更新工程またはサービス工程を試みるとき、UE は、TAU REJECT メッセージまたはSERVICE REJECT メッセージからエラー要因を受信する。エラー要因受信後のUE行動は、図８に示されるステップと類似する。
【００２９】
図９は、一実施形態によるネットワーク禁止リストを適用する方法のフローチャートである。ステップ 901において、UE は、PLMN IDを有する移動通信ネットワークへのアタッチを試みる。ステップ 902において、UE は、特定の無線アクセス技術 (RAT)に関連するネットワークエラー要因を示すエラーコードを受信する。ステップ 903において、UE は、ネットワーク禁止リスト中に、PLMN IDを入力として保存する。入力はまた、RATにより索引が付けられる。UE は、ネットワーク禁止リスト中に保存される同じRATを用いて、同じ PLMN IDを有する任意のネットワークへのアタッチをやめる。
【００３０】
図１０は、一実施形態によるタイマーベースのネットワーク選択方法のフローチャートである。ステップ1001において、UE は、PLMN IDを有する移動通信ネットワークへのアタッチを試みる。ステップ1002において、UE は、ネットワークエラー要因を示すエラーコードを受信する。ステップ1003において、UE は、PLMN IDに関連するタイマー値を有するタイマーを開始する。タイマーの期限切れ前、UE は、同じ PLMN IDを有する任意のネットワークへのアタッチをやめる。一実施形態において、PLMN ID は、ネットワーク禁止リスト中に、入力として保存される。タイマーが期限切れになった後、入力がネットワーク禁止リストから除去される。
【００３１】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
2015523775.tif 000003
【図２】
2015523775.tif 000004
【図３】
2015523775.tif 000005
【図４】
2015523775.tif 000006
【図５】
2015523775.tif 000007
【図６】
2015523775.tif 000008
【図７】
2015523775.tif 000009
【図８】
2015523775.tif 000010
【図９】
2015523775.tif 000011
【図１０】
2015523775.tif 000012
【手続補正書】
【提出日】平成26年11月21日(2014.11.21)
【手続補正１】
【補正対象書類名】図面
【補正対象項目名】図１
【補正方法】変更
【補正の内容】
【図１】
2015523775.tif 000013
【国際調査報告】
2015523775.tif 000014
2015523775.tif 000015